(57)【要約】【課題】所望のケーブルを正確かつ迅速に所定のアドレス（箇所又は位置）に挿入し、しかも、所定のアドレスから取り出すことができるケーブルハンガーを提供する。【解決手段】ケーブルハンガーは、基台１と、基台上に立設された中心軸２と、中心軸に取り付けられた支持座４と、支持座に支持される回転可能な円形状のリング５と、リングに放射状に取り付けられ、かつ、複数本のケーブルＣをそれぞれ取り出し可能に保持する複数本のケーブル引掛棒６とから構成される。各ケーブル引掛棒の先端には、各ケーブル又は各ケーブルが採用される物品（例えばコネクタ）の表示が設けられている。各ケーブルの各ケーブル引掛棒に対する無用の動きを防止するために、各ケーブル引掛棒にクランプ部材８が回転可能に取り付けられる。【選択図】      図２
2004281313.tif 000002
【特許請求の範囲】
【請求項１】
基台と、前記基台に立設された中心軸と、前記中心軸に取り付けられた支持座と、前記支持座に支持される回転可能な円形状のリングと、前記リングに放射状に取り付けられ、かつ、複数本のケーブルをそれぞれ取り出し可能に保持する複数本のケーブル引掛棒とから構成され、
前記各ケーブル引掛棒には、前記各ケーブル又は前記各ケーブルが採用される物品の表示が設けられていることを特徴とするケーブルハンガー。
【請求項２】
前記各ケーブルの前記各ケーブル引掛棒に対する無用の動きを防止するために、前記各ケーブル引掛棒にクランプ部材が回転可能に取り付けられ、前記各クランプ部材を不使用のときには、前記各クランプ部材をロックするクランプ保持部材が前記中心軸に設けられていることを特徴とする請求項１記載のケーブルハンガー。
【発明の詳細な説明】
【０００１】
【発明の属する技術分野】
本発明は、コネクタ等に使用されるケーブルを吊り下げるハンガーに関する。
【０００２】
【従来の技術】
まず、従来のケーブルの分別作業と取り出し作業について説明する。
【０００３】
図４（Ａ）に示されるように、ケーブル３１を１００本束にまとめて、仕切板３３ａによって仕切られたトレー３３に収容する。
【０００４】
図４（Ｂ）に示されるように、コネクタ３２に接続されたケーブル３１が８芯の場合には、作業者３５は、８つのトレー３３に８種類のケーブル３１を分別して収容する。
【０００５】
また、図５にされるように、作業者３５は、８種類のケーブル３１を分別して８つの束にまとめる。
【０００６】
そして、ケーブル３１の取り出しは、図４（Ｂ）に示される８つのトレー３３から所要のケーブル３１を選択して取り出す。また、図５に示される８つの束から所要のケーブル３１を選択して取り出す。
【０００７】
次に、従来のケーブルハンガーについて説明する（例えば、特許文献１参照。）。
【０００８】
図６と図７に示されるように、昇降ユニット４１は、搬送台４２と、搬送台４２に対して昇降する昇降板４３と、搬送台４２と昇降板４３とを連結する２組のリンク機構４４と、昇降板４３を昇降させるエアシリンダ４５及びロッド４６と、搬送台４２に取り付けられた４個のキャスタ４７とから構成される。
【０００９】
昇降板４３の上には、支持柱４８が立設され、支持柱４８には、下段アーム４９が固定される。下段アーム４９の上方には、一対の上段アーム５０がそれぞれヒンジ５１によって支持柱４８に９０°回転可能に取り付けられている。図６においては、多数のケーブルＣが、下段アーム４９と一対の上段アーム５０に吊り下げられている状況が示されている。
【００１０】
作業者の作業の便宜のために、下段アーム４９と一対の上段アーム５０の位置を上昇させる場合には、加圧空気供給機構５２からエアシリンダ４５に加圧空気を供給する。すると、ロッド４６はエアシリンダ４５から排出され、ロッド４６の先端が搬送台４２に当接しているため、昇降板４３は上昇する。したがって、下段アーム４９と一対の上段アーム５０も、図７の矢印に示されているように、上昇する。
【００１１】
なお、一対の上段アーム５０を使用しない場合には、各上段アーム５０を図６に示される位置から図７に示される位置まで右方向又は左方向に９０°回転させる。
【００１２】
【特許文献１】
特開平１１−８６６５１号公報（第３頁第３欄第３１行−第４頁第６欄第３７行）
【００１３】
【発明が解決しようとする課題】
図４と図５に示される従来のケーブルの分別作業と取り出し作業では、相当に広いスペースが必要であり、また、作業者が所要のケーブルを取り出すことが簡単容易ではない。
【００１４】
図６と図７に示されるケーブルハンガーは、多段に構成されている。したがって、コネクタのアドレス（品番又は種類）毎にケーブルを分別する作業、及び、アドレスに応じて所要のケーブルを取り出す作業が、不便である。
【００１５】
そこで、本発明は、前記従来の技術の欠点を改良し、所望のケーブルを正確かつ迅速に所定のアドレス（箇所又は位置）に挿入し、しかも、所定のアドレスから取り出すことができるケーブルハンガーを提供しようとするものである。
【００１６】
【課題を解決するための手段】
本発明は、前記課題を解決するため、次の手段を採用する。
【００１７】
１．基台と、前記基台に立設された中心軸と、前記中心軸に取り付けられた支持座と、前記支持座に支持される回転可能な円形状のリングと、前記リングに放射状に取り付けられ、かつ、複数本のケーブルをそれぞれ取り出し可能に保持する複数本のケーブル引掛棒とから構成され、前記各ケーブル引掛棒には、前記各ケーブル又は前記各ケーブルが採用される物品の表示が設けられているケーブルハンガー。
【００１８】
２．前記各ケーブルの前記各ケーブル引掛棒に対する無用の動きを防止するために、前記各ケーブル引掛棒にクランプ部材が回転可能に取り付けられ、前記各クランプ部材を不使用のときには、前記各クランプ部材をロックするクランプ保持部材が前記中心軸に設けられている前記１記載のケーブルハンガー。
【００１９】
【発明の実施の形態】
本発明の一実施の形態例のケーブルハンガーについて図１〜図３を参照して説明する。
【００２０】
図１と図２に示されるように、ケーブルハンガーの基台１は、十文字形状に構成され、基台１の４箇所の先端の下側には、ブレーキ付きのローラ２が取り付けられている。基台１の上側の中央には、中心軸３が立設され、中心軸３の中間部には、円板形状の支持座４が固定されている。また、中心軸３には、円形状のリング５が回転可能にはめられ、リング５は、支持座４上に支持されている。
【００２１】
リング５の円周面には、８本のケーブル引掛棒６が放射状に固定され、各ケーブル引掛棒６の先端上側と根元付近には、それぞれケーブルストッパ７ａ，７ｂが取り付けられている。ケーブルストッパ７ａ，７ｂは、ケーブル引掛棒６に吊り下げられるケーブルＣのケーブル引掛棒６からの脱落の防止とケーブル引掛棒６に対する位置の規制の役割を営む。
【００２２】
各ケーブル引掛棒６の上には、ケーブルＣがケーブル引掛棒６に対して無用の動き（脱落等）を行うことを防止するために、クランプ部材８が設けられている。各クランプ部材８の根元付近は、リング５に回転可能に取り付けられている。中心軸３の上端には、各クランプ部材８をロックするクランプ保持部材９が固定されている。各クランプ部材８は、図２において、実線で示されている水平位置と一点鎖線で示される垂直位置との範囲内で矢印方向に９０°回転することができる。
【００２３】
各ケーブル引掛棒６の先端には、図１に示されるように、ケーブル引掛棒先端表示６ａが設けられている。ケーブル引掛棒先端表示６ａには、コネクタアドレス（品番、種類等）６ａ１とケーブル色相又はケーブルを被覆する収縮チューブ色相６ａ２が表示されている。
【００２４】
ケーブルハンガー使用時の作業方法について説明する。図３において、まず、作業者１０は、作業机１１に向かい、左側に配置されている組立前のコネクタが載置されているトレー１２を作業机１１上に移動する。次に、作業者１０は、手指を手近に位置するケーブル引掛棒６にかけてリング５を左回転又は右回転（図２における白抜先印参照）させ、所要のケーブル引掛棒６のケーブル引掛棒先端表示６ａが手近な位置に到達したときに、リング５の回転を停止する。続いて、作業者１０は、所要の１本目のケーブルＣをケーブル引掛棒６から取り出してコネクタに組み込む。以下同様に、作業者１０は、所要の２本目のケーブルＣをケーブル引掛棒６から取り出してコネクタに組み込む。作業者１０は、所要の全部のケーブルＣをコネクタに組み込んだ後、組立済のコネクタが載置されているトレー１２を作業机１１の右側に配置されているサブ机１３上に移動する。リング５は、４５°回転したとき、クリックストップ機構（図示せず）によって瞬間的に停止する。
【００２５】
ケーブルＣをケーブル引掛棒６にクランプする必要がない場合には、図２において、クランプ部材８を実線位置から一点鎖線位置まで９０°回転させる。すると、クランプ部材８の先端は、クランプ保持部材９にロックされる。
【００２６】
【発明の効果】
以上の説明から明らかなように、本発明によれば、次の効果が、奏される。
【００２７】
１．複数本のケーブル引掛棒が回転可能な円形状のリングに放射状に取り付けられているので、所望のケーブルを迅速に所定のケーブル引掛棒に保持させ、しかも、所定のケーブル引掛棒から取り出すことができる。
【００２８】
２．各ケーブル引掛棒には、各ケーブル又は各ケーブルが採用される物品の表示が設けられているので、所望のケーブルを正確にかつ迅速に所定のケーブル引掛棒に保持させ、しかも、所定のケーブル引掛棒から取り出すことができる。
【００２９】
３．各ケーブル引掛棒にクランプ部材が取り付けられているので、各ケーブルの各ケーブル引掛棒に対する無用の動きを防止することができる。また、各クランプ部材を不使用のときには、各クランプ部材をクランプ保持部材にロックするので、各クランプ部材は邪魔にならない。
【図面の簡単な説明】
【図１】本発明の一実施の形態例のケーブルハンガーの平面図である。
【図２】同ケーブルハンガーの正面図である。
【図３】同ケーブルハンガーを使用したときの作業方法を示す平面図である。
【図４】従来のトレーを使用するケーブルの分別作業と取り出し作業の斜視図である。
【図５】従来のケーブルを束にまとめることによるケーブルの分別作業と取り出し作業の斜視図である。
【図６】従来のケーブルハンガーの上下２段のアームにケーブルを吊り下げた状態の正面図である。
【図７】同ケーブルハンガーの上段のアームを不使用位置に移動し、昇降板を上昇させた状態の正面図である。
【符号の説明】
１    基台
２    ローラ
３    中心軸
４    支持座
５    リング
６    ケーブル引掛棒
６ａ    ケーブル引掛棒先端表示
６ａ１    コネクタアドレス（品番、種類等）
６ａ２    ケーブル色相、収縮チューブ色相
７ａ，７ｂ    ケーブルストッパ
８    クランプ部材
９    クランプ保持部材
１０    作業者
１１    作業机
１２    トレー
１３    サブ机
Ｃ    ケーブル
【図１】
2004281313.tif 000003
【図２】
2004281313.tif 000004
【図３】
2004281313.tif 000005
【図４】
2004281313.tif 000006
【図５】
2004281313.tif 000007
【図６】
2004281313.tif 000008
【図７】
2004281313.tif 000009